(57)【要約】【課題】二次元コード画像を表示する表示部に傷や容易に落とせない汚れが付着して二次元コード画像の読み取りができない場合でも、簡単な操作で効率良く、且つ確実に二次元コード画像を読み取ることができる二次元コード表示装置を提供する。【解決手段】二次元コード表示装置は、操作部１５と、表示部１４と、二次元コード画像を表示部１４に表示させる表示制御手段１３とを備える。表示制御手段１３は、二次元コード画像の表示部１４上での表示位置又は表示角度を、操作部１５でのユーザ操作に基づき変更する表示変更手段１６を有する。【選択図】図１
2010129048.tif 000002
【特許請求の範囲】
【請求項１】
操作部と、表示部と、二次元コード画像を該表示部に表示させる表示制御手段とを備えた二次元コード表示装置であって、
前記表示制御手段は、前記二次元コード画像の前記表示部上での表示位置又は表示角度を、前記操作部でのユーザ操作に基づき変更する表示変更手段を有することを特徴とする二次元コード表示装置。
【請求項２】
前記表示変更手段は、前記操作部での、前記二次元コード画像を所定距離だけ平行移動させるユーザ操作又は所定角度だけ回転移動させるユーザ操作に応じて、前記二次元コード画像を平行移動又は回転移動することを特徴とする請求項１に記載の二次元コード表示装置。
【請求項３】
前記表示変更手段は、前記操作部での所定のユーザ操作に基づき、前記二次元コード画像の前記表示部上での表示位置又は表示角度を、予め定められた位置又は角度に変更することを特徴とする請求項１に記載の二次元コード表示装置。
【請求項４】
前記表示変更手段は、前記操作部でのユーザ操作による前記二次元コード画像の変更先に、他の情報が表示されている場合には、該他の情報の表示位置も変更することを特徴とする請求項２又は３に記載の二次元コード表示装置。
【請求項５】
前記表示変更手段での変更内容を記憶する変更記憶手段を備え、前記表示制御手段は、前記変更記憶手段で記憶された変更内容に基づき前記二次元コード画像を表示させることを特徴とする請求項１〜４のいずれか１項に記載の二次元コード表示装置。
【請求項６】
当該二次元コード表示装置の内部情報を記憶する情報記憶手段と、該情報記憶手段に記憶してある内部情報を二次元コード化することで前記二次元コード画像を生成するコード化手段とを備え、
前記表示制御手段は、前記コード化手段で生成された前記二次元コード画像を前記表示部に表示させることを特徴とする請求項１〜５のいずれか１項に記載の二次元コード表示装置。
【請求項７】
前記二次元コード画像は、ＱＲコード（登録商標）の画像であることを特徴とする請求項１〜６のいずれか１項に記載の二次元コード表示装置。
【請求項８】
請求項１〜７のいずれか１項に記載の二次元コード表示装置を備えたガスメータ。
【発明の詳細な説明】
【技術分野】
【０００１】
本発明は、二次元コード表示装置、及びそれを備えたガスメータに関するものである。
【背景技術】
【０００２】
従来のバーコード（一次元コード）と比較して数倍から数百倍の情報をコード化することが可能な二次元コードが、近年主流となっている。二次元コードは、紙面への印刷やディスプレイなどへの表示などによって活用されている。
【０００３】
二次元コードは、汚れや欠損に対して読み取ったデータを修復することが可能となっており、二次元コード自体の１０％から３０％が欠損しても復元して読み取ることが可能となっている。データの復元処理は、リードソロモン法と言う数学的なエラー検出、訂正の手法を用いて実行されている。
【０００４】
仮に読み取りができない程の欠損が生じた場合、通常のバーコード（一次元コード）の場合は、バーコードの下に人が目で見て読める（ヒューマンリーダブル）文字を付加し、それをキーボードで入力することで、運用に支障をきさない様にしている。
【０００５】
しかし、二次元コードの場合、データ容量が非常に大きく、一般的にヒューマンリーダブルの文字が付加されないため、データ復元ができない程の大きな損傷が発生すると、データ入力の手段が無くなり運用が止まってしまう。また、仮にヒューマンリーダブルの文字を付加したとしても、キーボードで１００文字以上の文字を入力させる必要が発生し現実的ではない。
【０００６】
このように、二次元コードの導入にあたっては、読めなかった場合の対処を十分に考慮する必要がある。特に、ガスメータ等のような屋外に１０年間設置される装置は、その表示部に、傷や容易に落とせない汚れが付きやすく、二次元コードリーダでの読み取りが困難になる場合がある。
【０００７】
また、特許文献１には、二次元コードを読み取る処理に失敗したときに、その二次元コードの画像を修正する方法が開示されている。この方法は、画像の明るさを調整したり、コード周囲の影を削除する調整などによりコード周囲のマージンを確保したりすることで、二次元コード自体をユーザが修復するものである。
【特許文献１】特開２００８−６４６３１号公報
【発明の開示】
【発明が解決しようとする課題】
【０００８】
しかしながら、特許文献１に記載の方法は、二次元コードの画像を表示している表示部自体に、読み取りができない程の傷や容易に落とせない汚れが付着した場合に対処できる修正方法ではなく、このような場合、修正後の二次元コード画像は読み取ることができないままとなる。
【０００９】
本発明は、上述のような実状に鑑みてなされたものであり、その目的は、二次元コード画像を表示する表示部に傷や容易に落とせない汚れが付着して二次元コード画像の読み取りができない場合でも、簡単な操作で効率良く、且つ確実に二次元コード画像を読み取ることができる二次元コード表示装置、及びその装置を備えたガスメータを提供することにある。
【課題を解決するための手段】
【００１０】
上記目的を達成するために、本発明の第１の技術手段は、操作部と、表示部と、二次元コード画像を該表示部に表示させる表示制御手段とを備えた二次元コード表示装置であって、前記表示制御手段は、前記二次元コード画像の前記表示部上での表示位置又は表示角度を、前記操作部でのユーザ操作に基づき変更する表示変更手段を有することを特徴としたものである。
【００１１】
第２の技術手段は、第１の技術手段において、前記表示変更手段は、前記操作部での、前記二次元コード画像を所定距離だけ平行移動させるユーザ操作又は所定角度だけ回転移動させるユーザ操作に応じて、前記二次元コード画像を平行移動又は回転移動することを特徴としたものである。
【００１２】
第３の技術手段は、第１の技術手段において、前記表示変更手段は、前記操作部での所定のユーザ操作に基づき、前記二次元コード画像の前記表示部上での表示位置又は表示角度を、予め定められた位置又は角度に変更することを特徴としたものである。
【００１３】
第４の技術手段は、第２又は第３の技術手段において、前記表示変更手段は、前記操作部でのユーザ操作による前記二次元コード画像の変更先に、他の情報が表示されている場合には、該他の情報の表示位置も変更することを特徴としたものである。
【００１４】
第５の技術手段は、第１〜第４のいずれかの技術手段において、前記表示変更手段での変更内容を記憶する変更記憶手段を備え、前記表示制御手段は、前記変更記憶手段で記憶された変更内容に基づき前記二次元コード画像を表示させることを特徴としたものである。
【００１５】
第６の技術手段は、第１〜第５のいずれかの技術手段において、当該二次元コード表示装置の内部情報を記憶する情報記憶手段と、該情報記憶手段に記憶してある内部情報を二次元コード化することで前記二次元コード画像を生成するコード化手段とを備え、前記表示制御手段は、前記コード化手段で生成された前記二次元コード画像を前記表示部に表示させることを特徴としたものである。
【００１６】
第７の技術手段は、第１〜第６のいずれかの技術手段において、前記二次元コード画像は、ＱＲコード（登録商標）の画像であることを特徴としたものである。
【００１７】
第８の技術手段は、ガスメータにおいて、第１〜第７のいずれかの技術手段における二次元コード表示装置を備えたことを特徴としたものである。
【発明の効果】
【００１８】
本発明によれば、二次元コード画像を表示する表示部に傷や容易に落とせない汚れが付着して二次元コードの読み取りができない場合でも、簡単な操作で効率良く、且つ確実に二次元コード画像を読み取ることが可能になる。
【発明を実施するための最良の形態】
【００１９】
図１は、本発明の一実施形態に係る二次元コード表示装置の一構成例を示すブロック図で、図中、１は二次元コード表示装置である。図１で例示する本実施形態に係る二次元コード表示装置１（以下、表示装置１という）は、表示部１４を備え、その二次元コード表示装置内部の情報（以下、内部情報という）を二次元コード化して、表示部１４に表示する。
【００２０】
そのため、表示装置１は、表示装置１の内部情報を記憶する情報記憶手段（情報記憶部１１として例示）と、情報記憶部１１に記憶してある内部情報を二次元コード化することで、二次元コード画像を生成するコード化手段１２と、コード化手段１２がコード化により生成した二次元コード画像を表示部１４に表示させる表示制御手段１３とを備える。このように、表示制御手段１３は、二次元コード画像を表示部１４に表示させる制御を行う。
【００２１】
情報記憶部１１は、不揮発性のメモリやハードディスクなどの記憶装置で例示できる。また、コード化手段１２及び表示制御手段１３は、コード化及び表示制御を行うプログラムを格納するＲＯＭ、作業領域としてのＲＡＭ、そのプログラムをＲＯＭからＲＡＭに読み出して実行するＣＰＵなどで例示できる。
【００２２】
二次元コード画像は、表示装置１に具備した操作部１５からのユーザ操作（表示指示を行うユーザ操作）に基づき表示させてもよいし、電源ＯＮ時に常に表示させるようにしてもよい。このようにして二次元コード画像を表示することにより、ユーザが表示装置１の内部情報を読み出したい場合には、表示部１４に表示された二次元コード画像を二次元コードリーダで読み取ればよい。これにより、その二次元コードリーダが表示装置１の内部情報を取得できる。
【００２３】
そして、本発明では、このような二次元コードリーダでの二次元コード画像の読み取りが、表示部１４の表面の傷などにより実行できなかった場合にも、ユーザが操作部１５で後述するようなユーザ操作を行い、二次元コードリーダで読み取りを再度実行することで、二次元コード画像の読み取り（判読可能な読み取り）が可能となる。
【００２４】
このように表面の傷などに拘わらず二次元コード画像を判読可能にする具体的な構成について説明する。まず、本発明に係る表示装置１に具備した操作部１５は、表示部１４に表示された二次元コード画像を平行移動や回転移動により変更するためのユーザ操作が、受け付け可能に構成されている。
【００２５】
そして、表示制御手段１３は、表示させた二次元コード画像の表示部１４上での表示位置又は表示角度を、操作部１５でのユーザ操作に基づき変更する表示変更手段１６を有する。換言すると、この表示変更手段１６は、操作部１５でのユーザ操作に基づき二次元コード画像の表示位置又は表示角度を変更する。そして、表示制御手段１３が、変更後の二次元コード画像を表示部１４に表示させる制御を行う。
【００２６】
このような構成により、二次元コードを表示する表示部１４に傷や容易に落とせない汚れが付着して二次元コード画像の読み取りができない場合でも、傷や汚れを避けるように二次元コード画像の表示位置又は表示角度を変更することができるため、簡単な操作で効率良く、且つ確実に二次元コードを読み取ることが可能になる。
【００２７】
ここで、表示部１４に表示させる二次元コード画像は、ＱＲコード（登録商標）の画像であることが好ましい。これにより、汎用の二次元コードリーダで容易に内部情報を読み取ることができる。この場合、コード化手段１２は、内部情報をコード化して、ＱＲコード（登録商標）を生成することになる。なお、二次元コード画像は、ＱＲコード（登録商標）のように正方形の画像に限ったものではない。
【００２８】
以下、操作部１５におけるユーザ操作と、そのユーザ操作に基づく表示位置又は表示角度の変更処理とについて、より具体的な例を挙げて説明する。最初に、操作部１５におけるユーザ操作及びそれに基づく表示位置の変更処理に関し、図２〜図５を参照しながら説明する。
【００２９】
図２は、図１の二次元コード表示装置の表示部上での二次元コード画像の移動例を示す模式図である。図２で説明する実施形態では、操作部１５において、二次元コード画像を所定距離だけ平行移動させるユーザ操作を受け付け可能にしておく。例えば左右の方向キー及び／又は上下の方向キーなどを操作部１５に具備しておけばよい。また、操作部１５として表示部１４にタッチセンサを設けて任意の位置に移動可能なように構成してもよい。そして、表示変更手段１６は、操作部１５でのそのようなユーザ操作に応じて、二次元コード画像を平行移動する。
【００３０】
ここで、方向キーを採用した場合におけるユーザ操作に応じた平行移動とは、方向キーによるユーザ操作がなされる度に所定距離ずつ段階的に、その方向に平行移動することを指す。
【００３１】
例えば、操作部１５として設けた左方向キーがユーザにより１回押下された場合、図２に示すように、元の二次元コード画像（ＱＲコード（登録商標）の画像等）２１が一目盛りだけ左方向の表示位置に移動し、その結果として二次元コード画像２２が表示される。ここで、元の（最初に表示される）二次元コード画像２１は、横方向でＸ１〜Ｘ４の範囲、縦方向でＹ１〜Ｙ４の範囲を表示範囲として表示部１４に表示されている。この状態で左方向キーの押下により移動した後の二次元コード画像２２は、横方向でＸ０〜Ｘ３の範囲、縦方向でＹ１〜Ｙ４の範囲を表示範囲として表示部１４に表示される。なお、図２ではドットマトリックス液晶のように画素が配列された表示部１４を想定しており、図２のＸ１等には上記所定距離に対応する画素群が含まれることになる。
【００３２】
元の二次元コード画像２１がそのコード上であって表示部１４の表面に傷や汚れなどが付着してリーダでの読み出しができなくなっている場合でも、このような左方向キーによるユーザ操作により、表示された移動後の二次元コード画像２２がその傷や汚れを避ける位置に表示されている場合には、リーダでの読み出しが可能になる。左方向キーの一回の押下によって表示させた移動後の二次元コード画像２２でも、リーダでの読み出しができなかった場合には、さらに１回以上の押下を行うことで、読み出し可能な任意の位置（傷や汚れなどを避ける位置）へ二次元コード画像を移動させてから読み出させることができる。
【００３３】
なお、左方向キーを例に挙げたが、右方向、上方向、下方向のキーを用いたユーザ操作、或いはそれらの組み合わせによるユーザ操作を行っても、同様に、傷や汚れなどを避ける位置に二次元コード画像を移動させるように構成することができる。また、左方向キー等を押下するだけで二次元コード画像を移動させる例を説明しているが、この左方向キー等の押下に先立ち、別途設けた移動開始キーなどを押下させるようにしてもよい。
【００３４】
また、操作部１５としてタッチセンサを採用した場合には、指によりタッチされた位置の移動を検出し、それに応じて、指によるタッチの読み取り解像度に応じた所定距離ずつ段階的に二次元コード画像を移動させていけばよい。また、この例でも、別途設けた移動開始キーなどを先立って押下する必要があるように構成しておいてもよい。
【００３５】
図３は、図１の二次元コード表示装置の表示部上での二次元コード画像の他の移動例を示す模式図である。図３で説明する実施形態では、図２で説明したような操作部１５によるユーザ操作に基づき表示変更手段１６が実行する二次元コード画像の変更により、他の情報が変更後の二次元コード画像と重複したり上書きされたりすることを避ける処理を行う。
【００３６】
より具体的には、表示変更手段１６が、ユーザ操作による二次元コード画像の変更先に他の情報が元々表示されていた場合に、その「他の情報」の表示位置も移動させることで、その「他の情報」も表示した状態を保つ。つまり、表示変更手段１６は、まず変更先を求め、その変更先に他の情報が表示されているか否かを判定し、表示されていない場合にはそのまま二次元コード画像の変更（移動）を実行し、表示されている場合にはその変更と共にその「他の情報」の表示位置を移動させる。
【００３７】
他の情報の移動先としては、二次元コード画像の元々の表示位置として規定しておくこと、すなわち二次元コード画像と上記「他の情報」とで表示位置を入れ替えることが好ましい。このような規定により、上記「他の情報」の移動によりさらに別の情報を消去してしまうようなことを避けながら、上記「他の情報」を表示させることができる。
【００３８】
例えば、図３の左側に示すように、二次元コード画像３２と共に「ガス止」という情報３１が表示部１４に表示された状態で、二次元コード画像３２を画面の左端側へ移動させるユーザ操作が受け付けられた場合、表示変更手段１６は、そのユーザ操作に基づく変更先に「ガス止」という情報３１が表示中であるとを判定し、自動的にその情報３１を元の二次元コード画像３２の表示位置に移動させると共に二次元コード画像３２の移動を実行する。
【００３９】
これにより、図３の右側に示すように、元々情報３１が表示されていた位置に二次元コード画像３２ａが表示され、元々二次元コード画像３２が表示されていた位置に情報３１ａが表示される。情報３１ａの表示位置に傷や汚れがあったとしてもこの情報３１ａは人の目で確認する情報であるため、二次元コードのようにリーダによる読み取りの支障が生じる訳ではない。なお、これらの変更、移動により画像３２、情報３１は表示位置が変わるだけであり、それらの表示内容は変わらない。また、図３では、右下位置から左下位置への二次元コード画像の移動例を示したが、変更先がいずれであろうとも、変更先の情報の有無の判定をはじめとする同様の処理を行えばよい。
【００４０】
図２及び図３の説明ではユーザ操作に基づき任意の位置に二次元コード画像を移動させる例を説明したが、移動先（変更先）は予め定められた位置としておいてもよい。このような例を図４、図５を参照して説明する。図４、図５は、それぞれ、図１の二次元コード表示装置の表示部上での二次元コード画像の他の移動例を示す模式図である。
【００４１】
図４又は図５で説明する実施形態では、表示変更手段１６が、操作部１５での所定のユーザ操作（例えば移動キーなど）に基づき、二次元コード画像４１の表示部１４上での表示位置を、予め定められた位置に変更する。
【００４２】
この予め定められた位置について説明する。図４の左側で示す登録位置I〜III（４２〜４４）のように予め複数個の位置を登録しておき、二次元コード画像４１を操作部１５（例えば移動キー）での操作回数によって予め登録した位置へ順次移動させればよい。図４の右側では、最初の操作によって登録位置I（４２）に対応する位置に二次元コード画像４１ｂが表示された例を示している。この状態でまだ傷や汚れと重なる場合には、再度、移動キーの操作を行って登録位置II（４３）、登録位置III（４４）へと順次移動させればよい。また、図５の左側に示すように、指定させたい位置５２を操作部１５での操作（例えば位置指定キーなど）によって決定した後に、移動キーなどの二次元コード画像５１を移動させて、図５の右側に示すように二次元コード画像５１ｂを表示させてもよい。この例では画像５１（画像５１ａ）が画像５１ｂへ移動したことになる。なお、この実施形態においても、図３で説明したような二次元コード画像の変更先に他の情報が表示されている場合の処理を適用できる。
【００４３】
次に、操作部１５におけるユーザ操作及びそれに基づく表示角度の変更処理に関し、図６を参照しながら説明する。図６は、図１の二次元コード表示装置の表示部上での二次元コード画像の他の移動例を示す模式図である。
【００４４】
本実施形態では、操作部１５において、所定距離だけ平行移動させるユーザ操作の代わりに、図６の左側で例示する二次元コード画像６０を所定角度だけ回転移動させるユーザ操作を受け付け可能にしておく。例えば時計回りに回転させる正回転キーや反時計回りで回転させる逆回転キーなどを、操作部１５に具備しておけばよい。そして、表示変更手段１６は、操作部１５でのそのユーザ操作に応じて、二次元コード画像６０を回転移動し、結果として図６の右側で例示する二次元コード画像６０ａが表示される。
【００４５】
図６で例示する二次元コード画像６０は、ＱＲコード（登録商標）の画像であり、位置検出パターンであるファインダパターン（切り出しシンボル）６１〜６３が３つのコーナーに配置されている。二次元コードリーダはまずこのパターンを検索することでＱＲコードの位置を認識することが可能になっている。従って、ファインダパターン上に傷や汚れなどが付着して位置検出ができない場合などは、正回転キーや逆回転キーなどの回転キーを操作することで、ファインダパターン６１〜６３がそれぞれファインダパターン６１ａ〜６３ａとなるように回転した二次元コード画像６０ａ（９０°回転させる正回転キーを押下した例）を表示させる。これにより、二次元コードリーダで位置の検出が可能になる。
【００４６】
ここで、回転キー（正回転キー又は逆回転キー）を採用した場合におけるユーザ操作に応じた回転移動とは、回転キーによるユーザ操作がなされる度に所定角度（例えば４５°や９０°など）ずつ段階的に、その回転キーが示す回転方向に回転移動することを指す。１回の９０°回転後の二次元コード画像６０ａでも傷や汚れを避けられない（つまりリーダでも読み取れなかった又は読み取れなさそうな）場合には、更に操作を実施することにより、同様に時計回りに回転させて、傷や汚れなどをさける位置へ移動させることができる。また、時計回りの例のみを図示したが、反時計回りの例も同様である。また、タッチセンサを採用した場合には、指によりタッチされた位置を時系列で判別しその方向に所定角度ずつ回転させるなどすればよい。
【００４７】
また、回転の中心は、例示したように二次元コード画像の中心であることが、移動後の二次元コード画像の表示領域があまり変わらないため好ましい。しかし、回転の中心は、例えば二次元コードの所定の位置（例えば、左下の角）を中心としてもよい。
【００４８】
また、この実施形態においても、図３で説明したような二次元コード画像の変更先に他の情報が表示されている場合の処理を適用でき、この適用によって、二次元コード画像の移動後の表示領域が変わったとしても対応できる。但し、二次元コード画像と他の情報との入れ替えは、二次元コード画像の中心を中心として回転させる場合ではなく二次元コード画像の角などを中心として回転させる場合に適用されることが多くなる。
【００４９】
また、他の実施形態として、表示変更手段１６は、図３で説明した予め定められた位置への変更の代わりに、操作部１５での所定のユーザ操作（例えば移動キー）に基づき、二次元コード画像の表示部１４上での表示角度を、予め定められた角度（例えば４５°や９０°など）に変更するようにしてもよい。つまり、予め指定された回転角度に従って二次元コード画像が変更（回転移動）される。この例では、図３のように予め登録された位置が決まっているというよりは、回転角度が決まっているだけである。また、この実施形態においても、表示変更手段１６は、操作部１５でのユーザ操作による二次元コード画像の変更先に、他の情報が表示されている場合にはこの「他の情報」の表示位置も変更する例が適用できる。
【００５０】
以上、操作部１５におけるユーザ操作とそれに基づく表示位置又は表示角度の変更処理とについて説明したが、このような変更処理は表示装置１の電源が一旦オフになっても、次にオンした際に維持されていることが好ましい。
【００５１】
従って、上述した各実施形態における表示装置１は、表示変更手段１６での変更内容（表示位置又は表示角度、若しくは変更後の二次元コード画像そのもの）を記憶する不揮発性メモリやハードディスク等の変更記憶手段を備えることが好ましい。そして、表示制御手段１３は、この変更記憶手段で記憶された変更内容に基づき二次元コード画像を表示させる制御を行えばよい。特に、変更後の二次元コード画像そのものを記憶しておくことで、次回からのコード化の処理が不要となるため好ましい。
【００５２】
また、上述した各実施形態に係る表示装置１は、様々な電子機器の表示装置として組み込むことができる。特にガスメータのように長期に屋外に設置する機器に表示装置１を組み込むことは、表示表面にも傷や汚れが付きやすいため好適である。また、表示装置１をガスメータに備えるようにすることで、ガスメータが保有する内部情報を容易にコード化して読み出せることができる。この内部情報としては、例えばガスメータでのガス流量積算値なども適用できる。
【００５３】
以上、情報記憶手段（情報記憶部１１）及びコード化手段１２を備え、表示制御手段１３がコード化手段１２で生成された二次元コード画像を表示部１４に表示させることを前提に説明したが、これらの手段の代わりに、二次元コード画像を記憶するコード記憶手段のみを備え、表示制御手段１３がそれを読み出して表示部１４で表示させるように構成してもよい。ここで記憶された二次元コード画像が、ユーザ操作により変更されることになる。
【００５４】
このようなコード記憶手段を備えた形態においても、情報記憶手段（情報記憶部１１）及びコード化手段１２を備えた各実施形態で説明した様々な応用例が適用できる。但し、ガスメータに本実施形態に係る表示装置を備えた場合、二次元コードとして予め保有する内部情報をそのまま表示させることになり、ガスメータでのガス流量積算値などはコード化できないため二次元コードとしては表示できない。また、このようなコード記憶手段を採用した例における上記変更記憶手段は、表示変更手段１６での変更内容（変更後の二次元コード画像そのもの）を記憶しておけばよい。この記憶の際は、元の二次元コード画像に上書きしても、元の二次元コード画像はリーダにより読み取り不能であるため問題ない。
【図面の簡単な説明】
【００５５】
【図１】本発明の一実施形態に係る二次元コード表示装置の一構成例を示すブロック図である。
【図２】図１の二次元コード表示装置の表示部上での二次元コード画像の移動例を示す模式図である。
【図３】図１の二次元コード表示装置の表示部上での二次元コード画像の他の移動例を示す模式図である。
【図４】図１の二次元コード表示装置の表示部上での二次元コード画像の他の移動例を示す模式図である。
【図５】図１の二次元コード表示装置の表示部上での二次元コード画像の他の移動例を示す模式図である。
【図６】図１の二次元コード表示装置の表示部上での二次元コード画像の他の移動例を示す模式図である。
【符号の説明】
【００５６】
１…二次元コード表示装置、１１…情報記憶部、１２…コード化手段、１３…表示制御手段、１４…表示部、１５…操作部、１６…表示変更手段。
【図１】
2010129048.tif 000003
【図２】
2010129048.tif 000004
【図３】
2010129048.tif 000005
【図４】
2010129048.tif 000006
【図５】
2010129048.tif 000007
【図６】
2010129048.tif 000008